【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
物体に取り付け可能であって使用者の手によって把持することのできる回転ハンドルアセンブリであって、
前記使用者の手を受け入れるように構成された通路を取り巻く補助ハンドルと、
前記補助ハンドルの一部として一体に形成されたカラーと、
上端および下端を有し、前記物体に取り付け可能なフックと、
前記フックの前記上端と一体に形成されて前記上端から延在し、縦軸を有するシャンクと、
前記シャンクを前記カラーに対し動作可能に連結し、係合位置にあるときに前記シャンクを前記縦軸に沿って前記カラーに対し並進移動のみ可能とし、非係合位置にあるときに前記シャンクを前記カラーに対して前記縦軸を中心に回転するように移動可能とし、前記係合位置に付勢されたクラッチと、
前記フックの前記上端に設けられたラチェットと、
前記フックの下端に取り付けられ、前記ラチェットに向かうように延在し、前記縦軸に直交する横軸を中心に回転可能に設けられたピボットアームと、
前記ピボットアームに回転可能に取り付けられ、前記ピボットアームに対し、自らの自由端が前記ラチェットと係合して前記ピボットアームの回転が妨げられる第１の爪位置から前記自由端が前記ラチェットから外れた第２の爪位置に至るまで相対的にスライド可能であり、前記第１の爪位置に付勢された爪と
を備えた回転ハンドルアセンブリ。
【請求項２】
前記クラッチは前記カラーに設けられたクラッチリングを有し、
前記クラッチリングは、前記シャンクの一部が内側に配置されるクラッチリングボアを含む
請求項１記載の回転ハンドルアセンブリ。
【請求項３】
前記カラーは、自らを貫通するカラーボアを有し、
前記カラーボアは、縦に延伸されたキー溝を有し、
前記クラッチリングは、径方向外側に突出して前記キー溝と嵌合することで、前記カラーに対する前記クラッチリングの回転を妨げるキーを有する
請求項２記載の回転ハンドルアセンブリ。
【請求項４】
前記シャンクの前記自由端と一体的に形成され、前記シャンクから径方向外側に広がるフランジ面を有するフランジをさらに備え、
前記クラッチリングは、前記クラッチが係合位置にあるとき前記フランジ面に対向して摩擦係合する環状クラッチリング面を有する
請求項２記載の回転ハンドルアセンブリ。
【請求項５】
前記カラーは自らを貫通するカラーボアを有し、
前記カラーボアは、縦に延伸されたキー溝を有し、
前記クラッチリングは、前記カラーの内側に設けられ、前記カラーボアの前記キー溝に嵌合するように径方向外側に突出し、前記カラーに対する前記クラッチリングの回転を妨げるキーと、環状クラッチリング面と、前記シャンクの一部が内側に配置されるクラッチリングボアとを有し、
前記シャンクの前記自由端と一体的に形成され、前記シャンクから径方向外側に広がるフランジ面を有するフランジをさらに備え、
前記フランジ面は、前記クラッチが前記係合位置にあるときに前記環状クラッチリング面に対向して摩擦係合する
請求項１記載の回転ハンドルアセンブリ。
【請求項６】
前記フランジ面は、自らを基点として広がる複数のフランジ歯を有し、
前記クラッチリング面は、前記クラッチが前記係合位置にあるときに前記複数のフランジ歯に係合する複数のクラッチリング歯を有する
請求項５記載の回転ハンドルアセンブリ。
【請求項７】
前記クラッチを前記係合位置に付勢する波形ワッシャをさらに備えた
請求項１記載の回転ハンドルアセンブリ。
【請求項８】
前記フックと前記ピボットアームとによって規定される物体通路の断面積が調整可能である
請求項１記載の回転ハンドルアセンブリ。
【請求項９】
前記フックの前記内面は、円弧部分と直線部分とを有する
請求項１記載の回転ハンドルアセンブリ。
【請求項１０】
前記フックの前記上端は円弧状の内面部を有し、
前記ラチェットは、複数のラチェット歯によって前記上端の上に一体的に形成されている
請求項１記載の回転ハンドルアセンブリ。
【請求項１１】
前記爪の前記自由端の少なくとも1つの爪歯が前記複数のラチェット歯のうちの１つの前記ラチェット歯と係合して前記ピボットアームの回転を妨げる
請求項１０記載の回転ハンドルアセンブリ。
【請求項１２】
１以上のコンプライアントパッドが、前記フックの内面または前記ピボットアームの内面に取り付けられている
請求項１記載の回転ハンドルアセンブリ。
【請求項１３】
コンプライアントな人間工学的グリップが、前記補助ハンドルの、前記カラーの反対側の内側部分に取り付けられている
請求項１記載の回転ハンドルアセンブリ。
【請求項１４】
物体に取り付け可能であって使用者の手によって把持することのできる回転ハンドルアセンブリであって、
前記使用者の手を受け入れるように構成された手の通路を有する補助ハンドルと、
フックと、
前記フックに旋回可能に取り付けられたピボットアームと、
前記フックに設けられたラチェットと、
前記ピボットアームと共に旋回するように前記ピボットアームに取り付けられた爪と、
前記フックの上端から延在し、縦軸を有するシャンクと、
前記シャンクを前記補助ハンドルに対し動作可能に結合するクラッチと
を備え、
前記フックおよび前記ピボットアームは、前記物体を受け入れるための、調整可能なサイズを有する物体通路を規定し、
前記ピボットアームは、前記物体通路へのアクセスを可能にする第1の位置と、前記物体通路のサイズを調整して前記物体通路に前記物体を固定する複数の第２の位置との間で旋回可能であり、
前記爪は、自らの自由端が前記ラチェットと係合することで前記ピボットアームの前記第１の位置への旋回が妨げられる第１の爪位置から、前記自由端が前記ラチェットから外れて前記ピボットアームが前記第１の位置への旋回を許可する第２の爪位置に至るまで移動可能であり、
前記クラッチは、係合位置と非係合位置との間で作動可能であり、
前記シャンクは、前記クラッチが前記係合位置にあるときには前記補助ハンドルに対して前記縦軸に沿った並進のみで移動可能であり、前記クラッチが前記非係合位置にあるときには前記補助ハンドルに対し前記縦軸の周りを回転可能である
回転ハンドルアセンブリ。
【請求項１５】
前記補助ハンドルは、カラーをさらに有し、
前記クラッチは、前記カラーの内部に設けられたクラッチリングをさらに有し、
前記クラッチリングは、前記シャンクの一部が内部に配置されるクラッチリングボアを含む
請求項１４記載の回転ハンドルアセンブリ。
【請求項１６】
前記カラーは、自らを貫通するカラーボアを有し、
前記カラーボアは、縦に延伸されたキー溝を有し、
前記クラッチリングは、径方向外側に突出して前記キー溝と嵌合することで前記カラーに対する前記クラッチリングの回転を妨げるキーを有する    
請求項１５記載の回転ハンドルアセンブリ。
【請求項１７】
前記シャンクの前記自由端と一体的に形成され、前記シャンクから径方向外側に広がるフランジ面を有するフランジをさらに備え、
前記クラッチリングは、前記クラッチが係合位置にあるとき前記フランジ面に対向して摩擦係合する環状クラッチリング面を有する
請求項１６記載の回転ハンドルアセンブリ。
【請求項１８】
前記フランジ面は、自らを基点として広がる複数のフランジ歯を有し、
前記クラッチリング面は、前記クラッチが前記係合位置にあるときに前記複数のフランジ歯に係合する、自らを基点として広がる複数のクラッチリング歯を有する
請求項１７記載の回転ハンドルアセンブリ。
【請求項１９】
前記クラッチを前記係合位置に付勢する波形ワッシャをさらに備えた
請求項１４記載の回転ハンドルアセンブリ。
【請求項２０】
前記クラッチは、波形ワッシャの付勢力に抗するように前記フックに向かって前記補助ハンドルを手動で前進させることにより、前記非係合位置に移動可能である
請求項１９記載の回転ハンドルアセンブリ。
【請求項２１】
前記フックの上端は内面部を有し、
前記ラチェットは、複数のラチェット歯によって一体的に形成されている
請求項１４記載の回転ハンドルアセンブリ。
【請求項２２】
前記爪は、前記第１の爪位置と前記第２の爪位置との間において手動でスライド可能である
請求項１４記載の回転ハンドルアセンブリ。
【請求項２３】
コンプライアントな人間工学的グリップが、前記補助ハンドルの上部および内側部分に取り付けられている
請求項１４記載の回転ハンドルアセンブリ。
【請求項２４】
物体に取り付け可能であって使用者の手によって把持することのできる回転ハンドルアセンブリであって、
前記使用者の手を受け入れるように構成された通路を取り巻く補助ハンドルと、
フックと、
前記フックに旋回可能に取り付けられたアームと、
前記フックの上端から延在し、縦軸を有するシャンクと、
前記シャンクを前記補助ハンドルに対し動作可能に結合するクラッチと
を備え、
前記フックおよび前記アームは、前記物体を受け入れるための、調整可能なサイズを有する物体通路を規定し、
前記アームは、前記物体通路へのアクセスを可能とする第１の位置と、前記物体通路に前記物体を固定する少なくとも１つの第２の位置との間で旋回可能であり、
前記クラッチは、係合位置と非係合位置との間で作動可能であり、
前記シャンクは、前記クラッチが前記係合位置にあるときには前記補助ハンドルに対し前記縦軸に沿った並進のみで移動可能であり、前記クラッチが前記非係合位置にあって前記係合位置に付勢されているときには前記補助ハンドルに対し前記縦軸の周りを回転可能である
回転ハンドルアセンブリ。
【請求項２５】
前記補助ハンドルは、カラーをさらに有し、
前記クラッチは、前記カラーの内部に設けられたクラッチリングをさらに有し、
前記クラッチリングは、前記シャンクの一部が内部に配置されるクラッチリングボアを含む
請求項２４記載の回転ハンドルアセンブリ。
【請求項２６】
前記カラーは、自らを貫通するカラーボアを有し、
前記カラーボアは、縦に延伸されたキー溝を有し、
前記クラッチリングは、径方向外側に突出して前記キー溝と嵌合することで前記カラーに対する前記クラッチリングの回転を妨げるキーを有する    
請求項２５記載の回転ハンドルアセンブリ。
【請求項２７】
前記シャンクの前記自由端と一体的に形成され、前記シャンクから径方向外側に広がるフランジ面を有するフランジをさらに備え、
前記クラッチリングは、前記クラッチが係合位置にあるとき前記フランジ面に対向して摩擦係合する環状クラッチリング面を有する
請求項２６記載の回転ハンドルアセンブリ。
【請求項２８】
前記フランジ面は、自らを基点として広がる複数のフランジ歯を有し、
前記クラッチリング面は、前記クラッチが前記係合位置にあるときに前記複数のフランジ歯に係合する、自らを基点として広がる複数のクラッチリング歯を有する
請求項２７記載の回転ハンドルアセンブリ。
【請求項２９】
前記クラッチを前記係合位置に付勢する波形ワッシャをさらに備えた
請求項２４記載の回転ハンドルアセンブリ。
【請求項３０】
前記クラッチは、波形ワッシャの付勢力に抗するように前記フックに向かって前記補助ハンドルを手動で前進させることにより、前記非係合位置に移動可能である
請求項２９記載の回転ハンドルアセンブリ。
【請求項３１】
コンプライアントな人間工学的グリップが、前記補助ハンドルの上部および内側部分に取り付けられている
請求項２４記載の回転ハンドルアセンブリ。